(57)【要約】    【課題】  本発明は、構造を簡素化させ、且つより容易に高さを調整することのできる、家具の転倒防止具としても使用可能な支持構造体を提供することを課題とする。    【解決手段】  本発明に係る支持構造体１０は、高さを調整することができる支持構造体１０であって、支柱１と、支柱１の前方面１ａ及び後方面１ｂを挟むように連結された下方係止部材５ａ及び上方係止部材５ｂと、下方係止部材５ａ及び上方係止部材５ｂに連結されて前方側に延び、下方係止部材５ａ及び上方係止部材５ｂに回転モーメントを与えて下方係止部材５ａ及び上方係止部材５ｂを支柱１に押圧させることにより支柱２に係止させ、前方側に支持部を有する支持部材３と、を備えたことを特徴とする。【選択図】図１
2007061532.tif 000002
【特許請求の範囲】
【請求項１】
高さを調整することができる支持構造体であって、
支柱と、
前記支柱の前方側に配置される下方係止部材と、
前記支柱の後方側に配置され前記下方係止部材と連結された上方係止部材と、
前記下方係止部材及び上方係止部材に連結されて前方側へ延び該前方側に支持部を有し、且つ、連結された前記下方係止部材及び上方係止部材に回転モーメントを与えて前記支柱の前方面に前記下方係止部材を係止させるとともに前記支柱の後方面であって前記下方係止部材より上方の位置に前記上方係止部材を係止させる支持部材と、
を備えたことを特徴とする支持構造体。
【請求項２】
前記支柱を複数備え、該各支柱に前記支持部材、下方係止部材、及び上方係止部材が取り付けられており、
前記各支持部材の支持部は、前記各支持部材を横架していることを特徴とする請求項１に記載の支持構造体。
【請求項３】
前記支持部材は、前記支柱を挟持する一対のアームを有し、該アームが前記下方係止部材及び上方係止部材に連結されて前方側に延び、
前記下方係止部材は、前記アームから下方へ前記支柱に沿って延設されていることを特徴とする請求項１又は２に記載の支持構造体。
【請求項４】
前記アームは、前記支柱に対して傾斜しており、
前記支持部は、前記支柱の上端より上方に配置可能であることを特徴とする請求項３に記載の支持構造体。
【請求項５】
前記支柱は、前記前方面及び後方面の少なくとも一方面に摩擦面が形成されていることを特徴とする請求項１〜４のいずれかに記載の支持構造体。
【請求項６】
前記摩擦面は、フィルムを貼付することにより形成されていることを特徴とする請求項５に記載の支持構造体。
【請求項７】
前記支柱は、前記前方面及び後方面の少なくとも一方面に前記下方係止部材又は上方係止部材が係止する係止溝が形成されていることを特徴とする請求項１〜６のいずれか１項に記載の支持構造体。
【請求項８】
前記下方係止部材は、前記支柱の前方面に対して下端部の側断面が鋭角に形成されていることを特徴とする請求項１〜７のいずれかに記載の支持構造体。
【発明の詳細な説明】
【技術分野】
【０００１】
本発明は、支持構造体に関するものであり、さらに詳しくは、高さを調整することのできる支持構造体に関するものである。
【背景技術】
【０００２】
従来から、この支持構造体として、例えば、地震による箪笥や食器棚などの家具の転倒を防止するために、天井と家具との間に挿入して、その長さを調整し天井と家具とを押圧することにより天井と家具とを固定する転倒防止具がある。この従来の転倒防止具は、例えば、少なくとも一つの中空円筒部材を含む複数の棒状体から構成され、前記中空円筒部材内を他の棒状体が摺動可能となっており、家具と天井との間を十分に固定できるまで転倒防止具の総合的な長さを伸縮調節し、所望の長さを決定すると、転倒防止具の総合的な長さがそれ以上伸縮しないようにネジやピンなどにより固定するものがある。
【０００３】
または、複数の棒状体から構成されており、各棒状体の先端部にそれぞれ雄ネジ部と雌ネジ部とを設けて各棒状体を螺合させて、その螺合部分を調整することにより、転倒防止具の総合的な長さを調整するものがある（例えば特許文献１など）。
【特許文献１】登録実用新案第３０１９２４２号公報
【発明の開示】
【発明が解決しようとする課題】
【０００４】
しかしながら、上記構造の支持構造体では、支持構造体を所望の長さで維持するために、支持構造体本体に調整用の孔を開け、ネジやピン等を該孔に挿入して留める必要や、また、各棒状体にネジ部を形成する必要などがあった。
【０００５】
そこで、本発明は、構造を簡素化させ、且つより容易に高さを調整することのできる支持構造体を提供することを課題とする。
【課題を解決するための手段】
【０００６】
前記課題を解決するための手段として、本発明に係る支持構造体は、高さを調整することができる支持構造体であって、支柱と、前記支柱の前方側に配置される下方係止部材と、前記支柱の後方側に配置され前記下方係止部材と連結された上方係止部材と、前記下方係止部材及び上方係止部材に連結されて前方側へ延び該前方側に支持部を有し、且つ、連結された前記下方係止部材及び上方係止部材に回転モーメントを与えて前記支柱の前方面に前記下方係止部材を係止させるとともに前記支柱の後方面であって前記下方係止部材より上方の位置に前記上方係止部材を係止させる支持部材と、を備えたことを特徴とする。
【０００７】
このように、支持部材による回転モーメントにより、下方係止部材及び上方係止部材が支柱に対して押圧係止するために、支持構造体の構造を容易にすることができる。
【０００８】
また、前記支柱を複数備え、該各支柱に前記支持部材、下方係止部材、及び上方係止部材が取り付けられており、前記各支持部材の支持部を、前記各支持部材に横架させることができる。このように、支持部を複数の支持部材に横架させることで、支持部により大きな荷重を作用させることができることができるので、例えば、椅子や机などとして支持構造体を使用することができる。
【０００９】
また、前記支持部材は、前記支柱を挟持する一対のアームを有し、該アームが前記下方係止部材及び上方係止部材に連結されて前方側へ延び、前記下方係止部材は、前記アームから下方へ前記支柱に沿って延設させることもできる。
【００１０】
ここで、前記アームは、前記支柱に対して傾斜しており、前記支持板は、前記支柱の上端より上方に配置可能とすることが好ましい。
【００１１】
また、前記支柱は、前記前方面及び後方面の少なくとも一方面に摩擦面を形成することができ、前記摩擦面は、フィルムを貼付することにより形成されていることが好ましい。
【００１２】
また、前記支柱は、前記前方面及び後方面の少なくとも一方面に前記下方係止部材又は上方係止部材が係止する係止溝を形成することができる。
【００１３】
前記下方係止部材は、前記支柱の前方面に対して下端部の側断面が鋭角に形成されていることが好ましい。
【発明の効果】
【００１４】
本発明によれば、支持部材が荷重を受けることにより上方係止部材及び下方係止部材が支柱に対して押圧係止するという簡素化した構造とすることができるために、低コスト化を図ることができ、また、より容易に高さの調整をすることができる。
【発明を実施するための最良の形態】
【００１５】
以下、本発明の実施形態に係る支持構造体を添付図面に従って説明する。図１は、本実施形態に係る支持構造体を示す斜視図である。
【００１６】
図１に示すように、本実施形態に係る支持構造体１０は、基底部７から垂直に延びるように支柱１が形成されており、支持部３ａを有する支持部材３が支柱１に摺動可能に取り付けられている。なお、本実施形態では、支持部材３は、支持部３ａと、支持部３ａから延び支柱１を挟持する一対のアーム３ｂとから構成されている。
【００１７】
また、支柱１の前方面１ａに下方係止部材５ａが、後方面１ｂに上方係止部材５ｂが、支柱１を挟むように配置されている。そして、一対のアーム３ｂが、その向かい合う内側面で下方係止部材５ａ及び上方係止部材５ｂを連結して、前方側へ延びており、その前方側先端で支持板３ａと接合している。ここで、下方係止部材５ａは、アーム３ｂから下方へ延設されている。
【００１８】
このように、一対のアーム３ｂと下方係止部材５ａ及び上方係止部材５ｂとで支柱１を囲んでおり、支持部材３は、支柱１上を摺動可能となっている。
【００１９】
また、支持部３ａ、アーム３ｂ、下方係止部材５ａ、及び上方係止部材５ｂは、本実施形態では別体としているが、一体であってもよい（図６参照）。
【００２０】
このように構成された支持構造体１０の使用方法について、図２に基づいて説明する。図２に示すように、支持構造体１０を、箪笥や食器棚などの家具１３と天井１１との間に設置し、支持部３ａが天井１１を押圧するまで、支持部材３を天井１１側へ移動させる。このように支持部３ａが天井１１を押圧することで、支持部３ａに天井１１側からの反力が作用する。この反力によって支持部材３が下方係止部材５ａ及び上方係止部材５ｂに回転モーメントを与えることで、下方係止部材５ａ及び上方係止部材５ｂが支柱１に対して押し付けられて、下方係止部材５ａは支柱１の前方面１ａに、上方係止部材５ｂは支柱１の後方面１ｂであって前記下方係止部材より上方の位置に摩擦係止することにより、支持部材３は、家具１３側へ移動できない。そして、家具１３と天井１１とが十分に固定される。
【００２１】
このように、下方係止部材５ａ及び上方係止部材５ｂと支柱１との摩擦係止により支持部材３の移動を規制することで、支持構造体１０の高さを維持し、ネジなどの固定部材を使用する必要としないため、構造を簡素化することができ、また、容易に高さ調整することができる。また、下方係止部材５ａをアーム３ｂから下方へ延設することで、より大きな力で下方係止部材５ａと支柱１とを摩擦係止させることができる。
【００２２】
また、本実施形態の支持構造体１０では、アーム３ｂが支柱１に対して傾斜しているため、支持部３ａを支柱１の上端よりも上方に配置することができ、また、図３に示すように、和室の壁上部に設けられている廻り縁１５に支持部３ａを当接させることができる。
【００２３】
ここで、例えば、和室などでは、天井１１が構造的に強度が弱いことが多く、この場合、天井１１と家具１３とを固定しても、地震による転倒を十分に防止することが困難であるが、上記のように支柱１に対してアーム３ｂを傾斜させた構造とすることで、廻り縁１５と家具１３とを固定させることができるため、この問題を解消することができる。
【００２４】
次に、本発明に係る支持構造体を机として使用した実施形態について、図４に基づいて説明する。図４に示すように、支持構造体１０は、複数の基底部７からそれぞれ垂直に支柱１が延びている（本実施形態では、２つの基底部７からそれぞれ支柱１が延びている）。上記実施形態と同様に、下方係止部材５ａ及び上方係止部材５ｂに連結した一対のアーム３ｂが、支柱１を挟持し、前方側へ延びている。そして、各アーム３ｂの前方先端で、共通の支持部３ａが横架して接合されている。
【００２５】
このように、支持構造体１０を複数組み合わせることで、構造を簡素化させ容易に高さ調整できる机として使用することができる。
【００２６】
また、支持部材をさらに設け、支持部を棚とすることで、本棚付きの机とすることもできる。また、この棚も支柱１に沿って摺動することができる。なお、上記構造では、強度を向上させるために、各支柱１に補強板９を設けることが好ましい。
【００２７】
同様の構造で、上述した机の他にも、椅子としたり、また、各収納段の高さを調節できる棚としたり、さらには、花瓶等を載せる花台のような展示棚としても、本発明に係る支持構造体を使用することができる。
【００２８】
以上、本発明の実施形態について説明したが、本発明はこれに限定されるものではなく、その趣旨を逸脱しない限りにおいて種々の変更が可能である。例えば、支柱１の前方面１ａ及び後方面１ｂにフィルムを貼付する等により摩擦面を形成してもよい。このようにフィルムを貼付する等により摩擦面を形成することで、下方係止部材５ａ及び上方係止部材５ｂを支柱１に対してより強固に摩擦係止させることができる。このフィルムの材質としては例えばポリカーボネート等の合成樹脂や合成ゴム等を挙げることができる。また、上記摩擦面は、フィルムの貼付によって形成することに限定されず、例えば、支柱１の前方面１ａや後方面１ｂに前記合成樹脂や合成ゴム等の吹付けや塗布等塗装することによっても形成することができる。
【００２９】
また、図５に示すように、支柱１の前方面１ａ及び後方面１ｂに、下方係止部材５ａや上方係止部材５ｂが係止する係止溝１ｃを形成することもできる。このように、係止溝１ｃを形成することで、より確実に支持部材３を支柱１に対して固定することができる。ここで、下方係止部材５ａの下端部の側断面が支柱１の前方面１ａに対して鋭角であるために、より係止溝１ｃに係止しやすい構造となっている。また、このように下方係止部材５ａの下端部を鋭角とすることで、係止溝１ｃが形成されていない場合でも、下方係止部材５ａを支柱１に対してより高い圧力で押圧させることができ、より強固に係止させることができる。
【図面の簡単な説明】
【００３０】
【図１】本発明に係る支持構造体の実施形態を示す斜視図である。
【図２】本発明に係る支持構造体を家具転倒防止具として使用したときの実施形態を示す使用説明図である。
【図３】本発明に係る支持構造体を家具転倒防止具として使用したときの他の実施形態を示す使用説明図である。
【図４】本発明に係る支持構造体を机として使用したときの実施形態を示す使用説明図である。
【図５】本発明に係る支持構造体の他の実施形態を示す側面図である。
【図６】本発明に係る支持構造体の他の実施形態を示す斜視図である。
【符号の説明】
【００３１】
１  支柱
１ａ  前方面
１ｂ  後方面
１ｃ  係止溝
３  支持部材
３ａ  支持部
３ｂ  アーム
５ａ  下方係止部材
５ｂ  上方係止部材
１０  支持構造体
【図１】
2007061532.tif 000003
【図２】
2007061532.tif 000004
【図３】
2007061532.tif 000005
【図４】
2007061532.tif 000006
【図５】
2007061532.tif 000007
【図６】
2007061532.tif 000008